(57)【要約】  【課題】水資源を有効利用すべく、樹木や植栽を植える枡の内側に降った雨水は効果的に地中に浸透させ、樹木で集めた雨水は自身の根に効果的に給水されるようにする。  【解決手段】樹木や植栽を植える枡の中に、透水性の表層を設けて、雨水が地中に浸透可能な構造にしてあるので、大雨が降っても冠水の恐れは無く、しかも雨水を樹木の生育に有効利用できる。さらに、樹木用の穴の内周と樹木の外周との間に弾性材を透水可能に介在させてあるので、樹木が太っても表層が破損する恐れはなく、かつ樹木に伝って流下する雨水は地中に導かれる。前記の水受けが目立たないように植物を植えてあるので、景観を低下させる恐れはないし、環境保全の上でも好まれる。太陽光は表層で遮断されるので、雑草が生えることもない。【選択図】図３
2014198015.tif 000002
【特許請求の範囲】
【請求項１】
樹木や植栽を植える枡の中に、透水性の表層を設けて前記樹木の根に給水したり、大地に浸透可能にすると共に、前記の透水性の層に開けた樹木用穴の内周と前記樹木の外周との間に弾性材を透水可能に介在させたことを特徴とする枡の施工構造。
【請求項２】
前記樹木の根の上を覆う透水弾性の被覆材を、前記弾性材と前記穴の内周との間に設けてあることを特徴とする請求項１に記載の枡の施工構造。
【請求項３】
前記透水性の層は、全部又は一部を着色するか又は非透水性の層で覆ってあることを特徴とする請求項１又は請求項２に記載の枡の施工構造。
【請求項４】
前記樹木の前記弾性材より上側において、上拡がりの水受けの小径部を巻いて取り付け、かつ水の通過できる隙間を有するスペーサを前記小径部の内側に介在させると共に、前記の水受けが目立たないようにカバー植物を育ててあることを特徴とする請求項１、請求項２又は請求項３に記載の枡の施工構造。
【請求項５】
樹木や植栽を植える枡の中に、透水性の表層を設けて前記樹木の根に給水可能にすると共に、前記の透水性の表層に開けた樹木用穴の内周と前記樹木の外周との間に弾性の有る資材を透水可能に介在させ、しかも前記樹木を伝って流下した水が、前記の資材の透水用隙間や透水性の表層を通過するようにしたことを特徴とする枡内の給水方法。
【発明の詳細な説明】
【技術分野】
【０００１】
水資源の有効利用のために、樹木を伝って流下する水を効果的に利用すると共に街路樹周りの雑草を確実に防止する施工構造に関する。
【背景技術】
【０００２】
街路樹を含む植栽を育てる枡の中を縁石より低くして、溜まった水を樹木に給水する仕組みになっているが、雑草が生えるのが難点である。特に、水分が透過するように土壌を露出させる構造では、雑草が生え易い。
一方、特許文献１のように、道路や庭園の植込に植わった街路樹や庭木などの有用植物を保護しつつ、その植込に雑草などの無用植物が発生することを防止する目的で、有用植物が植わった植込の地面を覆うように敷設される非透水性のカバーと、そのカバーを地面に打ちつけて固定する杭とから構成され、杭には、カバーの表面に降り落ちた雨水などを流入させる集水穴が形成されると共に、その集水穴に流入した水を地中に浸み出させる放水穴が形成されている技術が提案されている。
【先行技術文献】
【特許文献】
【０００３】
【特許文献１】特開平８−２２８６１１
【発明の概要】
【発明が解決しようとする課題】
【０００４】
しかしながら、特許文献１のように、集水穴つきの杭を用いる構造では、常にカバーの最低値を選んで杭を打ち込む必要があり、それが不可能になると排水が困難になる。また、樹木で集められた雨水などを有効利用できなかったり、円滑に排水できないなどの問題がある。
本発明の技術的課題は、このような問題に着目し、水資源を有効利用すべく、樹木や植栽を植える枡の内側に降った雨水は効果的に地中に浸透させ、街路樹で集められた雨水などは自身の根に効果的に給水される構造を実現する。
【課題を解決するための手段】
【０００５】
前記課題を解決するために、請求項１は、樹木や植栽を植える枡の中に、透水性のブロック等から成る表層を設けて、雨水が地中に浸透可能にすると共に、前記の透水性の表層に開けた樹木用穴の内周と前記樹木の外周との間に弾性材を透水可能に介在させたことを特徴とする枡の施工構造である。
【０００６】
請求項２は、前記樹木の根の上を覆う透水弾性の被覆材を、前記透水弾性材と前記樹木用穴の内周との間に設けてあることを特徴とする請求項１に記載の枡の施工構造である。
【０００７】
請求項３は、前記透水性の表層の全部又は一部を透水性又は非透水性の層で覆ってあることを特徴とする請求項１又は請求項２に記載の枡の施工構造である。
【０００８】
請求項４は、前記樹木の前記弾性材より上側において、上拡がりの水受けの小径部を巻いて取り付け、かつ水の通過できる隙間を有するスペーサを前記小径部の内側に介在させると共に、前記の水受けが目立たないようにカバー植物を育ててあることを特徴とする請求項１、請求項２又は請求項３に記載の枡の施工構造である。
【０００９】
請求項５は、樹木や植栽を植える枡の中に、透水性の表層を設けて前記樹木の根に給水可能にすると共に、前記の透水性の表層に開けた樹木用穴の内周と前記樹木の外周との間に弾性の有る資材を透水可能に介在させ、しかも前記樹木を伝って流下した水が、前記の資材の透水用隙間や透水性の表層を通過するようにしたことを特徴とする枡内の給水方法である。
【発明の効果】
【００１０】
請求項１のように、樹木や植栽を植える枡の中に、透水性の表層を設けて、雨水が地中に浸透可能な構造にしてあるので、大雨が降っても冠水の恐れは無く、しかも雨水を樹木の生育に有効利用できる。さらに、前記の透水性の表層に開けた樹木用の穴の内周と前記樹木の外周との間に弾性材を透水可能に介在させてあるので、樹木が太っても表層が破損する恐れはなく、かつ樹木に伝って流下する雨水は地中に導かれる。太陽光は表層で遮断されるので、雑草が生えることもない。
【００１１】
請求項２のように、前記樹木の根の上を覆う透水弾性の被覆材を、前記透水弾性材と前記樹木用穴の内周との間に設けてあるので、前記枡内に降った雨水や樹木を流れ落ちた水は確実に根の方に供給される。
【００１２】
請求項３のように、前記透水性のブロックは、全部又は一部を非透水性の層で覆ってあるので、非透水性の層で図柄を形成したりして変化を持たせたい場合に有効である。
【００１３】
請求項４のように、前記樹木に巻いた透水弾性材より上側において、上拡がりの水受けの小径部を巻いて取り付けると共に、この小径部には、水の通過できる隙間を有するスペーサを介在させてあるので、樹木に沿って流れ落ちる水を効果的に集めることができ、集められた水は、前記隙間を通って効果的に根に給水される。さらに、前記の水受けが目立たないように植物を植えてあるので、景観を低下させる恐れはないし、環境保全の上でも好まれる。
【００１４】
請求項５のように、樹木や植栽を植える枡の中に、透水性の表層を設けて、大地や前記樹木の根に給水可能にしたので、前記枡の内側に降った雨水は、樹木の根に効果的に給水される。また、前記の透水性の表層に開けた樹木用穴の内周と前記樹木の外周との間に弾性の有る資材を透水可能に介在させるので、時間の経過に伴って樹木が太っても、透水性の層が破損する恐れは無い。しかも、前記樹木を伝って流下した水が、前記の弾性資材に形成される隙間や透水性のブロックを通過することにより、地中に給水されるので、冠水の恐れはなく、樹木の成長にも寄与できる。太陽光は表層で遮断されるので、雑草が生えることもない。
【図面の簡単な説明】
【００１５】
【図１】樹木が生えている状態の枡の断面図である。
【図２】図１のＡ−Ａ位置で切断した平面図である。
【図３】透水層として透水性のブロックを示す断面図である。
【図４】透水層として透水性の煉瓦を用いた断面図である。
【図５】枡の内側に排水溝を有する断面図と平面図である。
【発明を実施するための形態】
【００１６】
次に本発明による雑草防止が可能な給水構造が実際上どのように具体化されるか実施形態を説明する。図１は、樹木１が生えている状態の枡の鉛直断面図であり、樹木１の枝や葉の有る上部は省いてある。樹木１は、直径が例えば３〜４ｃｍ以上であり、根２は地中ｅに伸びている。
樹木１は生育に伴って、根２が地表ｅ１に向かって成長する場合もある。このような場合に備えて、根２が見えないように、予め根２の上を透水性の資材４で覆ってある。根２は通常、四方八方に伸びるので、将来根２が露出するのを予測して、全周に、かつ地面ｅ１の上にも被せる。なお、地面ｅ１の他の領域には、透水性のコンクリートを打設して表層８を被せてあり、根２の上の透水性の資材４を設ける領域は、例えば円形の穴に成っている。
また、樹木１の根元寄りの部位には、樹木１を巻くように透水性の資材５を設けてある。この資材５の上には、木の葉が溜まらないようにアルミニウムなどでできた網Ｍをかけ、また太陽光で耐候性が低下しないように、側面や資材４の上には日除けの合成樹脂製不透明板ρを被せてある。従って、樹木１を伝って流れ落ちた雨水は、透水性の資材４、５を透過して、地中ｅの根２に供給される。透水性の資材４、５としては、スポンジなどの発泡樹脂でもよいが、藁やススキ、椰子殻の繊維などでも代用できる。
【００１７】
前記の樹木１の周りに設けた透水性の資材５の上側において、上拡がりの水受け６を設け、そのベルト状の小径部６１を樹木１に巻いて取り付けてある。このとき、小径部６１を樹木１に直接に巻くのでなく、水の通過できる隙間を設けてある。例えば、発泡樹脂製のスポンジや藁やススキや植物繊維の多いスペーサ層３を介在させる。
前記の上拡がりの水受け６の上側の開口は、雨水は通過できるが、木の葉などが入らないように、末広がりの網やパンチングメタル７を被せ、上端のベルト状の小径部７１を樹木１に巻いて取り付けてある。従って、この末広がりの網７と上拡がりの水受け６とを併せると、正面や側面から見た場合、算盤珠状に見える。
樹木１は、成長に応じて、太さが太っていくので、算盤珠状の網７と水受け６並びに小径部６１、７１は、リング状の両端を長めに余裕を持たせてあり、かつ余裕の領域は図２のように２枚重ねにして、伸縮可能な構造にしてある。なお、前記の水受け６と網７は分離していてもよいが、針金などで連結したり、リベットや溶接やロウ付けなどで一体構造にしてもよい。
樹木１の直径の増大に応じて、ベルト状の小径部６１、７１の径も増大させる必要があるので、容易に追従できるように、ゴム紐やゴムベルトや引っ張りコイルスプリングのような伸縮材Ｇで取付けるのがよい。なお、伸縮できる範囲に限度があるので、樹木１の径の大・中・小に応じて数種類を予め用意しておくのがよい。
【００１８】
図２は、Ａ−Ａ位置で断面にした平面図であり、枡を形成するための縁石９の上面よりコンクリート層８の上面が高く成っている。すなわち、大雨が降ったりして、降雨や樹木１を伝って流下する雨水が地中ｅに浸透し切れないでコンクリート層８上を流れ去る際に、円滑に流れるように、前下がりの勾配を設けてある。
そして、コンクリート層８上の水流が縁石９を超えて側溝などに流れるように、コンクリート層８の最低部が縁石９より高いか同じ高さにしてある。なお、表層８の表面に模様を付けたり絵などを表現して親しみやすくしてもよいし、内部にはラス網ｍを入れて補強してもよい。
【００１９】
いま、雨が降っていると仮定すると、樹木１を伝って流れ落ちる雨水や樹木１の間近に落下する水滴は、網７を通過して上拡がりの水受け６で受けられ、隙間スペーサ３の隙間を透過し、樹木１の表皮を伝って、流下する。次いで、透水性の資材４、５を通過して、地中ｅの根２に供給される。
水受け６を突出させて、網７の外周より高くして、水が網７の上面を伝ってそのまま流出するのを防いでもよい。樹木１の周りの透水性の資材４、５も、水がオーバーフローし難いように配慮すると、水を効果的に地中ｅに導くことができる。なお、透水性の資材５の上に被せる網Ｍも、前記網７のように傾斜させて、木の葉が外に落ち易くしてもよい。
【００２０】
コンクリート層８の上に降った雨水や樹木１の葉から滴下した水滴などは、コンクリート層８が透水性のため、容易に透過して根２に給水したり地中ｅにしみ込む。なお、透水性の資材４、５は、弾性にも富むため、樹木１が次第に太くなっても、圧縮され、問題は生じない。
コンクリート層８で地面ｅ１は覆われており、雑草が生えることもない。なお、雑草の種子や土埃などが溜まりにくいように、隙間をシール材Ｓで塞ぐのがよく、透水性の資材４、５の上に雑草の種子や土埃などが溜まったときは、洗い流したり、容易に交換できる。
資材４、５に代えて、草花を植えることも可能だが、雑草が生える恐れがあり、狭い領域とは言え、手入れの負担が大きい。植木鉢などに植えた草花などの植物を図２の支柱１０…の上端に載せたり吊るすことも可能である。
【００２１】
図３は、透水層としてブロックを用いた鉛直断面図であり、人工的な水受け６が目立たないように、植物Ｐを育ててある。例えば水ごけやスポンジなど11を樹木１に取付け、この水ごけ11を利用して、葉の大きい大谷渡りやランなどの植物Ｐを植えて、植物の葉で、水受け６を見えにくくする。
月桃のような幹の細い植物やゴーヤーのような蔓性植物を、樹木１に最寄りの地中ｅに植えて、その葉で、水受け６を隠したり、樹木１自身から小枝を出して、その葉で、水受け６を隠してもよい。
【００２２】
透水層８は、現場でコンクリート層を打設するのでなく、透水性のブロック８１を成型し、敷設してある。なお、地面ｅ１とブロック８１との間には、砂利や軽石を入れて、保水力を高めてある。
ブロックの間に隙間が有ると、太陽光が入って雑草が生えやすいので、シール材Ｓを詰めて塞いである。
図４は、透水性のコンクリートブロック８１に代えて、透水性の煉瓦８２を用い、間はシール材Ｓで塞いである。
透水層８を設けただけでは景観が良くない場合は、全部又は一部を有色化して、美化することもできる。例えば、ブロック８１や煉瓦８２を透水性で有色化して、その組み合わせで、模様を形成したりする。また、一部であれば、非透水性の市販の板やシート類を被せて、模様を形成したりもできる。
【００２３】
図５のように、大型の枡では、中央に排水溝１２を設ける構造も有る。このような場合は、縁石９の内側の領域から、周りの道路などに排水しないで、中央の排水溝１２に集めてから、別の排水路に排水する。
透水層８は排水溝１２に向かって下り坂となるように傾斜しているので、大雨の場合でも、縁石９を超えて外に流出することはない。
【産業上の利用可能性】
【００２４】
以上のように、樹木や植栽を植える枡の中に、透水性の層を設けて前記樹木の根に給水したり、大地に浸透可能にすると共に、前記の透水性の層に開けた樹木用穴の内周と前記樹木の外周との間に弾性材を透水可能に介在させるので、水資源を有効利用できる。
【符号の説明】
【００２５】
１  樹木
２  根
ｅ  地中
ｅ1 地表
３  スペーサ層
４、５  透水性の資材
６  水受け
６１  小径部
７  末広がりの網やパンチングメタル
７１  小径部
８  透水性の層（コンクリート層）
81  透水性のブロック
82  透水性の煉瓦
９  縁石
Ｓ  シール材
10  支柱
11  水ごけ
Ｐ  植物
12  中央の排水溝
【図１】
2014198015.tif 000003
【図２】
2014198015.tif 000004
【図３】
2014198015.tif 000005
【図４】
2014198015.tif 000006
【図５】
2014198015.tif 000007